(57)【特許請求の範囲】
【請求項１】
手の握力により変形可能であり、曲げ弾性率が０．１〜０．９ｇｆ／ｍｍである板状の基板を有し、該基板の一方の面に手のひらを沿わせて手に装着して用いるボディマッサージ具；
及び、
感覚剤を含有し、希釈前の２５℃での粘度が５００〜３０００００ｍＰａ・ｓであり、水により２倍に希釈した時には、粘度が低下して２５℃での粘度が５０〜１５０００ｍＰａ・ｓとなるマッサージ剤；
を有するボディマッサージキット。
【請求項２】
前記基板は、少なくとも、前記ボディマッサージ具を手に装着して中指及び隣接する指をそれらの付け根から折り曲げたときに折り曲げられる折り位置における曲げ弾性率が０．１〜０．９ｇｆ／ｍｍである、請求項１記載のボディマッサージキット。
【請求項３】
前記基板の一方の面に起立する指股挟み込み把持部を有し、前記基板は、少なくとも、前記指股挟み込み把持部の手首側の端部から手首側に５〜１０ｍｍの位置における曲げ弾性率が０．１〜０．９ｇｆ／ｍｍである、請求項１又は２記載のボディマッサージキット。
【請求項４】
前記基板は、変形誘導部を備えている、請求項１〜３の何れか１項記載のボディマッサージキット。
【請求項５】
前記水により２倍に希釈した時の２５℃での粘度が、前記希釈前の２５℃での粘度の３／４〜１／２００である、請求項１〜４の何れか１項記載のボディマッサージキット。
【請求項６】
感覚剤が、ｌ−メントール、ｄｌ−メントール、乳酸メンチル、３−ｌ−メントキシプロパン−１，２−ジオール、カンファー、及びチモールから選択される１種又は２種以上の冷感剤、及び／又は４−バニリルアルキルエーテル、カプサイシン、ノニル酸バニリルアミド、ニコチン酸ベンジル、バニリルブチルエーテル、ショウガオール、ジンゲロール及びジンゲロンから選択される１種又は２種以上の温感剤である、請求項１〜５の何れか１項記載のボディマッサージキット。
【請求項７】
マッサージ剤中における温感剤及び／又は冷感剤の含有量が０．００１〜３質量％である、請求項１〜６の何れか１項記載のボディマッサージキット。
【請求項８】
マッサージ剤中における界面活性剤の含有量が０．１質量％以下である請求項１〜７の何れか１項記載のボディマッサージキット。
【請求項９】
マッサージ剤中における油性成分の含有量が４０質量％以下である請求項１〜８の何れか１項記載のボディマッサージキット。
【請求項１０】
マッサージ剤が、カルボキシビニルポリマー及び／又はアルキル変性カルボキシビニルポリマーを含有する、請求項１〜９の何れか１項記載のボディマッサージキット。
【請求項１１】
前記カルボキシビニルポリマー及び／又はアルキル変性カルボキシビニルポリマーの合計の含有量が０．０２〜０．９質量％である、請求項１０記載のボディマッサージキット。
【請求項１２】
手の握力により変形可能であり、曲げ弾性率が０．１〜０．９ｇｆ／ｍｍである板状の基板を有し、該基板の一方の面に手のひらを沿わせて手に装着して用いるボディマッサージ具；
及び、
感覚剤を含有し、希釈前の２５℃での粘度が５００〜３０００００ｍＰａ・ｓであり、水により２倍に希釈した時には、粘度が低下して２５℃での粘度が５０〜１５０００ｍＰａ・ｓとなるマッサージ剤；
を有するボディマッサージシステム。
【請求項１３】
感覚剤を含有し、希釈前の２５℃での粘度が５００〜３０００００ｍＰａ・ｓであり、水により２倍に希釈した時には、粘度が低下して２５℃での粘度が５０〜１５０００ｍＰａ・ｓとなるマッサージ剤を濡れた肌に塗布し、該マッサージ剤を塗布した肌を、板状の基板の一方の面に手のひらを沿わせて手に装着して用いるボディマッサージ具にて把握揉捏して、該マッサージ剤を肌に沿って拡散させるマッサージ剤の拡散方法であり、
前記基板は、手の握力により変形可能であり、曲げ弾性率が０．１〜０．９ｇｆ／ｍｍである、マッサージ剤の拡散方法。
【発明の詳細な説明】
【技術分野】
【０００１】
本発明は、ボディマッサージキット、ボディマッサージシステム、ボディマッサージ剤の拡散方法、及びマッサージ具用のマッサージ剤に関する。
【背景技術】
【０００２】
身体の四肢やその他の部位に対するマッサージ方法として、一般に圧迫法（身体を押すマッサージ方法）、強擦法（身体を擦るマッサージ方法）、揉捏法（身体を揉むマッサージ方法）、軽擦法（身体を撫でるマッサージ方法）、打突法（身体を叩くマッサージ方法）等が知られており、これらは、例えば身体の皮膚に指を押し当てて、圧迫したり、擦り付けたり、揉み解したりすることで、例えば血液の流れを促進して、疲労の回復や予防を図るものである。
【０００３】
これらのマッサージ方法は、手のひらや指先で行われることが多いが、さらに効果的にマッサージを行えるようにすることを目的として、種々のマッサージ具やブラシが開発されている（例えば、特許文献１、特許文献２、特許文献３参照）。
【０００４】
特許文献１のマッサージ具は、少なくとも片手で把持可能な横幅をその短手方向に持った平面略縦長形状の基部を、縦横自在に弾性変形可能な可撓性プレートとして形成し、略球面状先端を持つ複数の突起を、所定の配列をもってこの基部の片面上に一体的に立設することによって、この突起の縦横自在な傾動を確保可能とするとともに、この基部を、その平面上の長手方向で少なくとも２領域に区分し、この２領域のうちの一方に配された突起の高さを、他方の領域に配された突起より高く形成したものである。特許文献２の頭皮頭髪用ブラシは、ブラシ台の表面にブリッスルが設けられたブラシ部を２つ有し、その２つのブラシ部は結合されており、一方の手の指の腹側をブラシ部に対向させたときに、他方のブラシ部がその手の甲側に位置した状態でブラシをその手に保持できる手段を備えていることを特徴とするものである。特許文献３の洗髪・ボディ兼用ブラシは、柔らかい材質のブラシ本体と硬い材質のブラシ本体と連結させる柄で構成されるものである。
【先行技術文献】
【特許文献】
【０００５】
【特許文献１】実用新案登録第３０７６８７８号公報
【特許文献２】特開２００９−１８９６４０号公報
【特許文献３】実用新案登録第３０９８０１１号公報
【特許文献４】特開２００５−８２４８１号公報
【発明の概要】
【発明が解決しようとする課題】
【０００６】
一方、近年、例えばバスルームやシャワールームにおいて入浴時やシャワー時に使用される、マッサージジェルやマッサージオイル等のマッサージ剤が種々上市されている。これらのマッサージ剤は、容器から手のひらにとって、例えば身体の各部位に撫で付けたり擦り付けたり揉み付けたりすることで、マッサージを行ないながら身体の皮膚に沿って塗り広げて用いられる。また、好ましくは塗り広げた後に必要に応じてシャワー水で洗い流すことにより、マッサージ剤に含まれる各種の成分によって、例えばすっきりとした心地よさや、体温を保持する保温効果や、肌をしっとりとさせる保湿効果等が得られることになる。
【０００７】
特に、冷感剤や温感剤等の感覚剤成分が含有されているマッサージ剤の場合、これらの感覚剤成分による冷感や温感等を、肩や首筋等のマッサージ対象部位において充分に実感できるようにすることが、マッサージの実効感を向上させるうえで望ましい。しかしながら、従来のマッサージ具では、マッサージ剤に感覚剤を配合しても、そのマッサージ剤を、身体の皮膚に沿って塗り広げてゆくことが容易ではなく、感覚剤成分による冷感や温感等をマッサージ対象部位において充分に実感できるようにすることが難しい。
特許文献４には、角栓除去効果を有するマッサージ用油性化粧料を、シリコーンラバーのマッサージ具に塗布して使用することができることが記載されている。
【０００８】
本発明は、感覚剤含有マッサージ剤を濡らした肌に付け、ボディマッサージ具を用いてマッサージを行うことで、その感覚剤含有マッサージ剤を身体の皮膚に沿って容易にムラなく塗り広げることができ、皮膚に対する過度の刺激を抑制しつつ、感覚剤成分による冷感や温感等をマッサージした部位において充分に実感できるようにすることのできる、ボディマッサージキット、ボディマッサージシステム、マッサージ剤の拡散方法、及びマッサージ具用のマッサージ剤に関する。
【課題を解決するための手段】
【０００９】
本発明は、手の握力により変形可能であり、曲げ弾性率が０．１〜０．９ｇｆ／ｍｍである板状の基板を有し、該基板の一方の面に手のひらを沿わせて手に装着して用いるボディマッサージ具；及び、感覚剤を含有し、希釈前の２５℃での粘度が５００〜３０００００ｍＰａ・ｓであり、水により２倍に希釈した時には２５℃での粘度が５０〜１５０００ｍＰａ・ｓとなるマッサージ剤；を有するボディマッサージキットを提供するものである。
更に、本発明は、手の握力により変形可能であり、曲げ弾性率が０．１〜０．９ｇｆ／ｍｍである板状の基板を有し、該基板の一方の面に手のひらを沿わせて手に装着して用いるボディマッサージ具；及び、感覚剤を含有し、希釈前の２５℃での粘度が５００〜３０００００ｍＰａ・ｓであり、水により２倍に希釈した時には２５℃での粘度が５０〜１５０００ｍＰａ・ｓとなるマッサージ剤；を有するボディマッサージシステムを提供するものである。
【００１０】
また更に、本発明は、感覚剤を含有し、希釈前の２５℃での粘度が５００〜３０００００ｍＰａ・ｓであり、水により２倍に希釈した時には２５℃での粘度が５０〜１５０００ｍＰａ・ｓとなるマッサージ剤を濡れた肌に塗布し、該マッサージ剤を塗布した肌を、板状の基板の一方の面に手のひらを沿わせて手に装着して用いるボディマッサージ具にて把握揉捏して、該マッサージ剤を肌に沿って拡散させるマッサージ剤の拡散方法であり、前記基板は、手の握力により変形可能であり、曲げ弾性率が０．１〜０．９ｇｆ／ｍｍである、マッサージ剤の拡散方法を提供するものである。
【００１１】
また更に、本発明は、手の握力により変形可能であり、曲げ弾性率が０．１〜０．９ｇｆ／ｍｍである板状の基板を有し、該基板の一方の面に手のひらを沿わせて手に装着して用いるボディマッサージ具用のマッサージ剤であって、感覚剤を含有し、希釈前の２５℃での粘度が５００〜３０００００ｍＰａ・ｓであり、水により２倍に希釈した時には２５℃での粘度が５０〜１５０００ｍＰａ・ｓとなるマッサージ剤を提供するものである。
【発明の効果】
【００１２】
本発明のボディマッサージキット、ボディマッサージシステム、マッサージ剤の拡散方法、及びボディマッサージ具用のマッサージ剤によれば、感覚剤含有マッサージ剤を濡らした肌に付け、ボディマッサージ具を用いてマッサージを行うことで、その感覚剤含有マッサージ剤を身体の皮膚に沿って容易にムラなく塗り広げることができ、皮膚に対する過度の刺激を抑制しつつ、感覚剤成分による冷感や温感等をマッサージした部位において充分に実感できるようにすることができる。
【図面の簡単な説明】
【００１３】
【図１】本発明の好ましい一実施形態に係るボディマッサージ具を手に装着した状態で示す斜視図である。
【図２】本発明の好ましい一実施形態に係るボディマッサージ具の側面図である。
【図３】本発明の好ましい一実施形態に係るボディマッサージ具の図２を右側から見た正面図である。
【図４】図２のＡ−Ａに沿った端面図である。
【図５】本発明の好ましい一実施形態に係るボディマッサージ具の底面図である。
【図６】本発明の好ましい一実施形態に係るボディマッサージ具の上面図である。
【図７】（ａ）〜（ｅ）は、突起の先端の他の形態を例示するボディマッサージ具の突起の先端の斜視図である。
【図８】（ａ）〜（ｄ）は、位置決め手段の他の形態を例示するボディマッサージ具の上面図である。
【図９】（ａ）及び（ｂ）は、ボディマッサージ具の基板の曲げ弾性率の測定方法の説明図である。
【発明を実施するための形態】
【００１４】
図１に示すボディマッサージ具１０は、図１に示すように、手の握力により変形可能な板状の基板１１を有し、該基板１１の一方の面１１ａに手のひらを沿わせて手に装着して用いるものであり、前記基板１１の曲げ弾性率が０．１〜０．９ｇｆ／ｍｍである。
図１に示すボディマッサージ具１０は、特定の物性を有する感覚剤含有マッサージ剤との組み合わせにおいて、本発明のボディマッサージキットの好ましい実施形態又は本発明のボディマッサージシステムの好ましい実施形態の要素を構成する。また、ボディマッサージ具１０は、本発明のマッサージ剤の拡散方法に好ましく用いられると共に、本発明のボディマッサージ具用のマッサージ剤を用いたボディマッサージにも好ましく用いられる。
【００１５】
本発明に用いる前記特定の物性を有する感覚剤含有マッサージ剤は、感覚剤を含有し、２５℃での粘度（希釈前の粘度）が５００〜３０００００ｍＰａ・ｓであり、水により２倍（質量基準で２倍）に希釈した時には２５℃での粘度（以下、単に「２倍希釈時の粘度」ともいう）が５０〜１５０００ｍＰａ・ｓとなるものであり、詳細については後述する。
【００１６】
図１に示すボディマッサージ具１０は、図１に示すように手に装着して用いられ、例えば、肩や首筋等のマッサージ対象部位に付けたマッサージ剤を、該マッサージ対象部位に撫で付けたり、擦り付けたり、揉み付けたりすることで、マッサージ剤を身体の皮膚に沿ってスムーズに塗り広げながら、身体のマッサージを行える機能を備える。
本実施形態のボディマッサージ具１０は、図１に示すように、基板１１の中央領域に開口部１４ａからなる変形誘導部１４を備えており、図１に示すように、ボディマッサージ具１０を手に装着して中指及び隣接する指（人差し指及び／又は薬指）をそれらの付け根から折り曲げたときに、基板１１が、手の長手方向（手の中指の先端と手首の幅方向中央とを結ぶ方向）に対応する方向の、変形誘導部１４を有する部位において積極的に屈曲する。変形誘導部１４として、開口部１４ａに代えて、厚みを他の部位より薄くした薄肉部や、形成材料を異ならせる等により他の部分より柔軟とした柔軟部（軟質部等）を設けることもできる。
【００１７】
マッサージ対象部位にマッサージ剤を付ける方法としては、マッサージ剤を、一旦手のひらにとり、その手にボディマッサージ具を装着することなく、その手のひらでマッサージ対象部位に付着させる方法が好ましい。この場合、マッサージ対象部位に付着させたマッサージ剤を、マッサージ剤をとった手あるいは反対側の手に装着したボディマッサージ具により、マッサージしながら塗り拡げる。マッサージ剤は、例えば、手動式の吐出機構を備えた容器等に収容しておき、手のひら等に吐出させることが好ましい。マッサージ対象部位にマッサージ剤を付ける方法としては、上記の方法に制限されず、容器等から吐出させたマッサージ剤を直接、マッサージ対象部位に付着させても良いし、マッサージ剤を手のひらにとり、その手のひらに基板１１を沿わせるようにボディマッサージ具１０を装着した後、開口部１４ａを通してマッサージ剤をマッサージ対象部位に移行させても良い。
【００１８】
ボディマッサージ具１０は、手のひらを沿わせる板状の基板１１が、手の握力により変形可能であると共に、該板状の基板１１の曲げ弾性率が０．１〜０．９ｇｆ／ｍｍである。
基板１１の曲げ弾性率がこの範囲内であることにより、感覚剤含有マッサージ剤を付着させた首や肩等のマッサージ対象部位をマッサージしたとき、特に揉捏法によるマッサージにより把握揉捏したときに、ボディマッサージ具１０が、肌に密着しながら一体となって変形し、肌に対する追従性が良いことから肌に対するマッサージ効果に優れており、併用する感覚剤含有マッサージ剤の２倍希釈時の粘度が５０〜１５０００ｍＰａ・ｓであることとも相俟って、肌に付着していた水と混合されて適度な粘度となった感覚剤含有マッサージ剤が身体の皮膚に沿って容易にムラなく塗り広げられる。これにより、肌に対して効果的にマッサージを加えることができると同時に、塗工ムラによる皮膚に対する刺激を抑制しつつ、感覚剤成分による冷感や温感等をマッサージ対象部位において充分に実感できるようになる。
このような効果を一層確実に得る観点から、基板１１の曲げ弾性率は、０．１〜０．９ｇｆ／ｍｍであることがより好ましく、０．２〜０．８ｇｆ／ｍｍであることが更に好ましい。
【００１９】
基板１１の曲げ弾性率が０．１ｇｆ／ｍｍ以上であることで、首や肩等のマッサージ対象部位をマッサージしたとき、基板が過剰に変形しよれてしまうことによって、肌に対して効果的にマッサージを加えることができないことを防止し、水により２倍に希釈した時には２５℃での粘度が５０〜１５０００ｍＰａ・ｓとなる感覚剤含有マッサージ剤を、身体の皮膚に沿って良好に塗り広げることが可能となり、塗工ムラが生じにくい。
他方、基板１１の曲げ弾性率が０．９ｇｆ／ｍｍ以下であると、首や肩等のマッサージ対象部位をマッサージしたとき、基板が十分に変形して肌に密着するため、肌に対して効果的にマッサージを加えることができると同時に、水により２倍に希釈した時には２５℃での粘度が５０〜１５０００ｍＰａ・ｓとなる感覚剤含有マッサージ剤を、身体の皮膚に沿って良好に塗り広げることが可能となり、塗工ムラが生じにくい。
【００２０】
ボディマッサージ具１０の基板１１は、少なくとも、ボディマッサージ具１０を、図１に示すように手に装着して、中指及び隣接する指（人差し指及び／又は薬指）をそれらの付け根から折り曲げたときに折り曲げられる折り位置Ｐ（図１中の屈曲谷線Ｘの位置）における曲げ弾性率が前記の範囲であることが好ましい。前記折り位置は、ボディマッサージ具１０を装着した状態において、中指及び隣接する指（人差し指及び／又は薬指）をそれらの付け根から折り曲げたときに、基板が最も強く（曲率半径が小さく）折れ曲がる位置（手の長手方向に対応する方向における位置）である。
【００２１】
前記折り位置Ｐにおける曲げ弾性率は、図９（ａ）に示すように、ボディマッサージ具１０を、固定台３０の水平な固定面３１上に、基板１１の折り位置Ｐが固定面３１の端３１ａに位置し該折り位置Ｐより手首側に位置する部分が固定面３１上に位置するように固定し、その状態の基板１１における、固定面３１の端３１ａからの距離が４７ｍｍの位置Ｐ２にフォースゲージ３２のプローブ３３を当接させ、該基板１１を下方に押し下げた。そして、変位量が４ｍｍとなったときの荷重値及び変位量から、曲げ弾性率を下記式（１）に従って算出した。
曲げ弾性率（ｇｆ／ｍｍ）＝荷重値（ｇｆ）／変位量（ｍｍ）・・・（１）
なお、プローブ３３は、先端面の直径が８ｍｍの円柱状であり、該プローブ３３の該先端面の中心点を前記４７ｍｍの位置Ｐ２に位置させた。
また、変位量は、固定面３１を含む平面からの変位量（押し下げ量）ではなく、自重により該平面から若干下降した状態で、プローブ３３が基板１１に当接開始した位置からの変位量とした。なお、フォースゲージ３２が荷重値を検出開始した位置を当接開始位置とした。
【００２２】
本実施形態におけるボディマッサージ具１０は、基板１１の一方の面１１ａに起立する指股挟み込み把持部１２を有する。指股挟込み把持部１２は、指と指との間の指股部、好ましくは中指と隣接する指（人差し指又は薬指）との間の指股部に挟み込むことによって、ボディマッサージ具１０を、手に装着可能とするものである。
本実施形態のボディマッサージ具１０は、指股挟込み把持部１２を中指と人指し指又は薬指との間に挟んで装着したときに、指股挟込み把持部１２の手首側の端部１２ｂの近傍に、中指及び隣接する指をそれらの付け根から折り曲げたときに、基板１１が最も強く（曲率半径が小さく）折れ曲がる折り位置Ｐが存在する。
【００２３】
本実施形態におけるボディマッサージ具１０のように、指股挟込み把持部１２を有する場合、基板１１は、少なくとも、指股挟み込み把持部１２の手首側の端部１２ｂから手首側に５〜１０ｍｍの位置Ｐ３における曲げ弾性率が、前記の範囲であることが好ましい。指股挟み込み把持部１２の端部１２ｂと位置Ｐ３との間の距離Ｌ（５〜１０ｍｍ）は、図９（ａ）に示すように、基板１１の一方の面１１ａからの高さＨが５〜１０ｍｍの位置において測定することが好ましい。
【００２４】
本実施形態のボディマッサージ具１０における前記の指股挟込み把持部１２は、板状の基板１１の一方の面１１ａに手のひらを沿わせて手に装着した際に、変形誘導部１４や基板１１の中央領域が、指股部又は指股部近傍に配置されるように手を位置決めさせる位置決め手段１５でもある。
【００２５】
即ち、本実施形態では、位置決め手段１５は、変形誘導部１４の近傍部分において基板１１の一方の面１１ａから突出して設けられた指股挟込み把持部１２からなり、好ましくは人差し指と中指との間の指股部によって指股挟込み把持部１２を挟み込むことで、変形誘導部１４が、指股部又は指股部近傍に配置されるようになっている。
【００２６】
本実施形態では、位置決め手段１５により、基板１１の一方の面１１ａに手のひらを沿わせて手に装着した際に、変形誘導部１４が指股部又は指股部近傍に配置されることになるので、変形誘導部１４が開口部１４ａの場合、流通開口としての開口部１４ａを介して、指股部の特に付根部分に感覚剤含有マッサージ剤を積極的に誘導させて接触させることが可能になって、感覚剤成分による冷感や温感等を手においても実感しながらマッサージを行うことも可能になる。開口部１４ａは、点状の孔や線状のスリットとは異なり、縦横に相当の大きさの開口幅を有する開口穴として形成されていると好ましい。開口部１４ａは、本実施形態では、基板１１の中央領域に形成されており、且つ略ハート形状を備えている。
【００２７】
また、位置決め手段１５が指股挟込み把持部１２であることにより、指股が広げられるため、感覚剤含有マッサージ剤が手のひらの中で最も感覚剤成分による温感や冷感等を感じやすい指股部、中でも特に感じやすい部分である人差し指と中指との間の指股部や中指と薬指との間の指股部の付け根まで良好に行き渡り、これによって感覚剤を手の指股部にてより効果的に実感することが可能となる。
【００２８】
また、本実施形態では、基板１１は、手のひらサイズの大きさ及び形状を備えている。また、本実施形態では、開口部１４ａは、手のひらからはみ出ない大きさに形成されている。なお、本発明において手のひらとは、指部分も含む手首より先の全体部分のうち手の甲側と反対側全体を意味する。
【００２９】
さらに、本実施形態では、指股挟込み把持部１２が、扁平な縦長の断面形状を備える板状部分１６を有する（図２〜図４参照）。ここにおいて、縦長とは、扁平な断面形状の長手方向を縦方向とし、その長さが横方向の長さより長いことを言う。
【００３０】
さらにまた、本実施形態では、基板１１の他方の面１１ｂに、感覚剤含有マッサージ剤が指股部の付け根まで良好に行き渡ることを阻害しない程度に低い高さとして、具体的には２０ｍｍ程度以下の高さの複数の突起１３が分散配置されている。
【００３１】
本実施形態では、ボディマッサージ具１０は、手の握力により変形可能な弾性樹脂として、例えばスチレン樹脂、ポリエステル樹脂、オレフィン樹脂、ウレタン樹脂等のエラストマー樹脂や、合成ゴム等を用いて、好ましくは基板１１と、指股挟込み把持部１２と、複数の突起１３とを一体成形することにより形成されている。これによって基板１１は、手の握力によって変形可能な柔軟な弾性樹脂からなる。基板１１が、手の握力によって変形可能な柔軟な弾性樹脂からなっていることにより、基板１１の曲げ弾性率が０．１〜０．９ｇｆ／ｍｍであることと相俟って、基板１１を手のひらや手のひらの指の動きに合わせてスムーズに弾性変形させることが可能になり、マッサージ対象部位の形状に柔軟にフィットする。これにより、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を身体の皮膚に沿ってムラなく塗り広げることが一層容易である。
【００３２】
ここで、基板１１を構成する弾性樹脂は、手の握力によって容易に弾性変形できる程度の弾力性を備える弾性樹脂であり、ゴム硬度（ショアＡ硬度、株式会社テクロック製のゴム硬度計（ＧＳ７０９Ｎ  形式Ａ）ＡＳＴＭ  Ｄ２２４０Ａ  ０−１００（ショアＡ硬度）に準拠して測定された数値）が３０〜８０の物性を備える弾性材料であることが好ましい。また、基板１１を構成する弾性樹脂は、同硬度が３５〜７５の弾力性を備えていることが好ましく、４０〜７０の弾力性を備えていることが更に好ましい。
【００３３】
本実施形態では、基板１１は、好ましくは成人女性の手のひらに略収まり手の握力により変形し得る程度の、いわゆる手のひらサイズの大きさ及び形状として、例えば縦幅が１００〜１６０ｍｍの大きさ、好ましくは１０５〜１５５ｍｍの大きさ、更に好ましくは１１０〜１５０ｍｍの大きさであり、横幅が６５〜１０５ｍｍの大きさ、好ましくは７０〜１００ｍｍの大きさ、更に好ましくは７５〜９５ｍｍの大きさであるうち縦長の平面形状を備えるように形成される。基板１１が、手のひらに略収まる程度の手のひらサイズの大きさ及び形状を備えていることにより、基板１１の前記特定の曲げ弾性率を有することや、併用する感覚剤含有マッサージ剤の２倍希釈時の粘度が５０〜１５０００ｍＰａ・ｓであることとも相俟って、基板１１を手のひらや手のひらの指の動きに合わせてスムーズに弾性変形させることが可能になり、マッサージ対象部位の形状に柔軟にフィットする。これにより、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を身体の皮膚に沿ってムラなく塗り広げることが一層容易である。
【００３４】
また、基板１１は、好ましくは周縁部が周縁肉厚部２０（図５参照）となった、例えば１〜６ｍｍの厚さ、好ましくは１．５〜４ｍｍの厚さ、更に好ましくは２〜３ｍｍの厚さの平板形状に形成される。なお、周縁肉厚部２０の幅は、２〜８ｍｍが好ましく、更に好ましくは３〜６ｍｍであり、殊更好ましくは３．５〜４．５ｍｍである。周縁肉厚部２０の最大厚みは、基板１１の平板部分の厚みに対して、１．１〜３倍の厚さ、好ましくは１．２〜２．５倍の厚さ、殊更好ましくは１．３〜２倍の厚さである。このような周縁肉厚部２０の幅や厚みであると、補強の点や、使い心地の点や、弾性変形の点で好ましいのみならず、基板１１の前記特定の曲げ弾性率を有することや、併用する感覚剤含有マッサージ剤の２倍希釈時の粘度が５０〜１５０００ｍＰａ・ｓであることとも相俟って、基板１１を手のひらや手のひらの指の動きに合わせてスムーズに弾性変形させることが可能になり、マッサージ対象部位の形状に柔軟にフィットする。これにより、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を身体の皮膚に沿ってムラなく塗り広げることが一層容易である。
【００３５】
基板１１には、位置決め手段１５としての指股挟込み把持部１２を好ましくは人指し指と中指との間の指股部に挟み込んで、当該基板１１を手のひらに沿わせてボディマッサージ具１０を手に装着した際に、当該基板１１の縦長方向の手首側に配置される後端外周縁部１１ｃに、円弧形状の縁取り部が形成されていると共に、人さし指や中指や薬指の先端部が配置される先端外周縁部１１ｄに、凹凸形状の縁取り部が形成されている。この凹凸は、隣り合う凹部の間の長さが１５〜３０ｍｍであることが好ましい。基板１１の先端外周縁部１１ｄにこのような凹凸形状の縁取り部が形成されていることにより、例えば軽擦法や強擦法や揉捏法によるマッサージを行う際に、人さし指や中指や薬指を、マッサージを行う部位に添えやすくなり、その結果、ボディマッサージ具１０の肌に対する追従性が向上し、手のひらや手のひらの指の動きに合わせてスムーズに弾性変形させることが可能になり、マッサージ対象部位の形状に柔軟にフィットする。これにより、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。また、より確実に変形誘導部１４が指股部又は指股部近傍に配置される。これによって併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。更に、基板１１の先端外周縁部１１ｄに凹凸形状の縁取り部が形成されていることにより、マッサージを行う際に、人さし指や中指や薬指を、マッサージを行う部位に適度に間隔を開けて添えやすくなるため、水により２倍に希釈した時には２５℃での粘度が５０〜１５０００ｍＰａ・ｓとなる感覚剤含有マッサージ剤が指股の付け根まで良好に行き渡り、これによって感覚剤を手の指股部にてより効果的に実感することが可能となる。
【００３６】
また、基板１１には、位置決め手段１５としての指股挟込み把持部１２を好ましくは人指し指と中指との間の指股部に挟み込んで、当該基板１１の一方の面１１ａに手のひらに沿わせてボディマッサージ具１０を手に装着した際に、親指及び小指に沿って配置される当該基板１１の少なくとも一方側の側縁部１１ｅに、凹状にくぼんだくびれ部が形成されている。基板１１の少なくとも一方側の側縁部１１ｅに凹状にくぼんだくびれ部が形成されていることにより、例えば軽擦法や強擦法や揉捏法によるマッサージを行う際に、親指や小指を、マッサージを行う部位に添えやすくなり、その結果、ボディマッサージ具１０の肌に対する追従性が向上し、手のひらや手のひらの指の動きに合わせてスムーズに弾性変形させることが可能になり、マッサージ対象部位の形状に柔軟にフィットする。これにより、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。特に好ましくは、基板１１の両側の側縁部１１ｅに、凹状にくぼんだくびれ部が各々形成されている。基板１１の両側の側縁部１１ｅに、凹状にくぼんだくびれ部が各々形成されていることにより、例えば揉捏法によるマッサージを行う際に、マッサージを行う身体の所定の部位に親指及び小指を添えやすくなり、その結果、併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。
【００３７】
変形誘導部１４は、基板１１の中央領域に形成されていると好ましく、特に、指股挟込み把持部１２に回り込む形状が好ましい。中でも、指股挟込み把持部１２の側面の少なくとも一方に延びた形状が好ましく、具体的には例えば略ハート形状や略凹形状や略ビーンズ形状を備えていることが、屈曲性の点で好ましい。変形誘導部１４が上述のような形態にて形成されていることにより、当該変形誘導部１４を中心として、扁平な縦長の断面形状を備える指股挟込み把持部１２の縦長方向と垂直又は略垂直に交差する方向のみならず、指股挟込み把持部１２の縦長方向と交差する任意の方向を屈曲谷線Ｘ（図１参照）の方向として、基板１１を屈曲させることが可能となる。その結果、例えば揉捏法によるマッサージを行う際に、種々の立体形状を備える身体の各部位の形状に沿わせて基板１１を屈曲させながら、揉捏法によるマッサージをさらに効果的に行うことが可能になると同時に、併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。
【００３８】
また、本実施形態では、変形誘導部１４は、当該変形誘導部１４を２等分割する線分（基板１１の長手方向に直交し且つ変形誘導部の面積を２等分する線分）に沿った断面において、当該変形誘導部１４の幅が基板１１の幅に対して２０〜７０％の幅となるように基板１１に形成されていることが好ましい。変形誘導部１４の幅が基板１１の幅に対して２０〜７０％の幅となっていることにより、手のひらにとったり身体に塗布したマッサージ剤を、マッサージを行いながら身体の皮膚に沿って容易に且つスムーズに塗り広げてゆくことができると共に、感覚剤成分による冷感や温感等を手に実感しながらマッサージを行うことが可能になる。変形誘導部１４の幅が基板１１の幅に対して上述のとおりの適切な大きさであれば、変形誘導部１４が形成されていない部分の幅を相当程度確保して、基板１１の曲げに対する剛性が小さくなり過ぎることでマッサージ中に基板が１１がよれてしまうといった不具合が生じるのを効果的に回避することも可能になる。また、基板１１の曲げに対する剛性が大き過ぎず、適度に確保できることから手のひらやマッサージ対象部位の形状に柔軟にフィットすることで、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。
【００３９】
さらに、本実施形態では、変形誘導部１４は、平面積が２〜２４ｃｍ2であることが好ましい。変形誘導部の平面積が２〜２４ｃｍ2となるように変形誘導部１４が形成されていることにより、手のひらにとったり身体に塗布した感覚剤含有マッサージ剤を、マッサージを行いながら身体の皮膚に沿って容易に且つスムーズに塗り広げてゆくことができると共に、感覚剤成分による冷感や温感等を手のひらにて実感しながらマッサージを行うことが可能になる。変形誘導部１４の平面積が上述のとおりの適切な大きさであれば、基板１１の変形に対する剛性が小さくなり過ぎることでマッサージ中に基板１１がよれてしまうといった不具合が生じるのを効果的に回避することが可能になる。また、基板１１の曲げに対する剛性が大き過ぎず、適度に確保できることから、手のひらやマッサージ対象部位の形状に柔軟にフィットすることで、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。
【００４０】
さらに、本実施形態では、変形誘導部１４は、平面積が基板面積の２〜２５％であることが好ましい。変形誘導部の平面積が基板面積の２〜２５％であることにより、手のひらにとったり身体に塗布した感覚剤含有マッサージ剤を、マッサージを行いながら身体の皮膚に沿って容易に且つスムーズに塗り広げてゆくことができると共に、感覚剤成分による冷感や温感等を手のひらにて実感しながらマッサージを行うことが可能になる。変形誘導部１４の平面積が上述のとおりの適切な大きさであれば、基板１１の変形に対する剛性が小さくなり過ぎることでマッサージ中に基板１１がよれてしまうといった不具合が生じるのを効果的に回避することが可能になる。また、基板１１の曲げに対する剛性が大き過ぎず、適度に確保できることから、手のひらやマッサージ対象部位の形状に柔軟にフィットすることで、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。
【００４１】
また、本実施形態では、変形誘導部１４は、手のひらからはみ出ない大きさに形成されている。さらに、本実施形態では、変形誘導部１４は、最大でも人指し指、中指、及び薬指の第１関節から親指の付け根までの大きさである。
【００４２】
変形誘導部１４が手のひらからはみ出ない大きさに形成されていることにより、基板１１の変形に対する剛性が小さくなり過ぎることでマッサージ中に基板１１がよれてしまうといった不具合が生じるのを効果的に回避することが可能になる。また、手のひらやマッサージ対象部位の形状に柔軟にフィットすることで、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。また、変形誘導部１４が最大でも人指し指、中指、及び薬指の第１関節から親指の付け根までの大きさであることにより、手のひらやマッサージ対象部位の形状に柔軟にフィットすることで、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。
【００４３】
本実施形態では、基板１１の指股挟込み把持部１２が起立する一方の面１１ａに、滑止めの機能を奏する表面リブ１７が設けられている。本実施形態では、表面リブ１７は、扁平な縦長の断面形状を備える指股挟込み把持部１２の縦長方向と垂直な方向に延設する線状リブとして、基板１１の一方の面１１ａの略全域に亘って、指股挟込み把持部１２の縦長方向に所定の間隔をおいて複数本平行に配置されて設けられている。基板１１の一方の面１１ａに滑止めの機能を奏する表面リブ１７が設けられていることにより、例えば揉捏法によるマッサージを行う際に、より滑りにくくなることから、手のひらの面１１ａに対するフィット性が向上し、揉捏法によるマッサージをさらに効果的に行うことが可能になる。その結果、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を身体の皮膚に沿ってムラなく塗り広げることが一層容易である。
【００４４】
基板１１の一方の面に起立して設けられた指股挟込み把持部１２は、本実施形態では、扁平な縦長の断面形状を備える板状部分１６を有している。指股挟込み把持部１２が、扁平な縦長の断面形状を備える板状部分１６を有していることにより、当該指股挟込み把持部１２を、例えば、人指し指と中指との間の指股部に添わせるようにして挟み込むことが可能になって、ボディマッサージ具１０をより安定した状態で手に装着させることが可能になる。その結果、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を身体の皮膚に沿ってムラなく塗り広げることが一層容易である。
【００４５】
また板状部分１６を有している指股挟込み把持部１２は、変形誘導部１４が回り込む形状になっていると好ましい。すなわち、本実施形態では、指股挟込み把持部１２は、扁平な縦長の断面形状における基板１１の後端縁部１１ｃ側の基端部１２ａを、基板１１の中央領域に形成された変形誘導部１４の略ハート形状のくびれ部分に近接配置して設けられている。また指股挟込み把持部１２は、基板１１の中央領域から先端外周縁部１１ｄに向けて、好ましくは人さし指と中指との間の指股部の付根からこれらの指の第１関節に到る長さよりも短い長さで延設して、変形誘導部１４よりも基板１１の先端外周縁部１１ｄ側の領域に設けられている。指股挟込み把持部１２に、変形誘導部１４が回り込む形状になっていることにより、具体的には、本実施形態では、指股挟込み把持部１２の基板１１の後端外周縁部１１ｃ側の基端部１２ａが、変形誘導部１４に近接して配置されることにより、揉捏法によるマッサージを行う際に、基板１１を容易に屈曲させることができるので、揉捏法によるマッサージを効果的に行うことが可能になる。板状部分１６を有している指股挟込み把持部１２が、人さし指と中指との間の指股部の付根からこれらの指の第１関節に到る長さよりも短い長さで延設して設けられていることにより、これらの指を第１関節の部分で下方に折り曲げやすくなって、マッサージ対象部位の形状に柔軟にフィットすることで、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を、ムラなく塗り広げることが一層容易となる。
【００４６】
さらに、本実施形態では、板状部分１６を有している指股挟込み把持部１２の側面１２ｂが、図４に示すように、内方向凹状に形成されている。すなわち、板状部分１６を有している指股挟込み把持部１２の側面１２ｂは、好ましくは板状部分１６の縦長方向の中央部分で、横幅が最大横幅の９０％〜４０％に狭められた、特に好ましくは緩やかに湾曲する凹状に形成されている。指股挟込み把持部１２の側面１２ｂが内方向凹状となっていることにより、例えば、指股挟込み把持部１２を人指し指と中指との間の指股部に挟み込んで、当該基板１１を手のひらに沿わせてボディマッサージ具１０を手に装着する際に、人差し指と中指の第２関節の出っ張り部分が側面１２ｂの凹状部分にフィットすることで、手のひらの面１１ａに対するフィット性が向上し、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を身体の皮膚に沿ってムラなく塗り広げることが一層容易である。
【００４７】
さらにまた、本実施形態では、板状部分１６を有している指股挟込み把持部１２の側面１２ｂに、図２及び図４に示すように、滑止めの機能を奏する側面リブ１８が設けられている。本実施形態では、側面リブ１８は、基板１１と垂直な縦方向に延設する線状リブとして、横方向に所定の間隔をおいて複数本平行に配置されて設けられている。指股挟込み把持部１２の側面に、滑止めの機能を奏する側面リブ１８が設けられていることにより、より滑りにくくなることから、指股挟込み把持部１２に対する人差し指と中指の保持性が向上するので、より安定した状態でマッサージを行えるようにすることが可能になる。その結果、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を身体の皮膚に沿ってムラなく塗り広げることが一層容易である。
【００４８】
本実施形態では、図２及び図３に示すように、指股挟込み把持部１２の上端部から外方に張り出して、指掛けつば部１９が設けられている。指掛けつば部１９が設けられていることにより、例えば、指股挟込み把持部１２を人指し指と中指との間の指股部に挟み込んで、当該基板１１を手のひらに沿わせてボディマッサージ具１０を手に装着して行なう身体の各部位へのマッサージ中に、人さし指及び中指の背側を当該指掛けつば部１９に係止させることが可能になる。これによって、例えば基板１１を曲折変形させながら揉捏法によるマッサージを行う際に、指股部が指股挟込み把持部１２から抜け出ないようにして、より安定した状態でマッサージを行えるようにすることが可能になる。その結果、肌に対して効果的にマッサージを加えることが可能になると同時に、併用する感覚剤含有マッサージ剤の２倍希釈時の粘度が５０〜１５０００ｍＰａ・ｓであることとも相俟って、感覚剤含有マッサージ剤を身体の皮膚に沿ってムラなく塗り広げることが一層容易である。指股挟込み把持部１２の高さ、すなわち、指股挟込み把持部１２の基端部１２ａから指掛けつば部１９のつば下までの高さは、例えば、指股挟込み把持部１２を人指し指と中指との間の指股部に挟み込んで、当該基板１１を手のひらに沿わせてボディマッサージ具１０を手に装着した際に、フィット性を向上させると共に保持性を向上させる点から、略指の太さに等しいことが好ましく、具体的には１８〜２４ｍｍが好ましく、更に好ましくは１９〜２３ｍｍであり、殊更好ましくは２０〜２２ｍｍである。これによって、より安定した状態で良好にマッサージを行うことが可能になり、水により２倍に希釈した時には２５℃での粘度が５０〜１５０００ｍＰａ・ｓとなる感覚剤含有マッサージ剤を身体の皮膚に沿ってムラなく塗り広げることが容易になる。
【００４９】
基板１１の他方の面１１ｂから突出して設けられた複数の突起１３は、図１及び図５にも示すように、本実施形態では、基板１１の他方の面１１ｂの全体に亘って略均等に分散配置されると共に、基板１１の他方の面１１ｂから、好ましくは２０ｍｍ以下の高さ、更に好ましくは３〜２０ｍｍの高さ、また更に好ましくは４〜１８ｍｍの高さ、殊更好ましくは５〜１５ｍｍの高さで突出して設けられている。これらの突起１３は、身体のツボを刺激したり、皮膚を刺激したり、皮膚を圧迫（指圧）したり、毛穴を刺激したりする機能を備える。
複数の突起１３が分散配置されて突設されていることにより、体のツボの明確な位置が分からずとも、おおよその位置にマッサージ具を当てることで、ツボを刺激することができ、また、１度に複数のツボを刺激することも可能である。さらに、力が１点に集中することなく、程よい力加減で押したり揉んだりできる。分散配置されて突設されている複数の突起１３の底部断面積は、好ましくは０．２〜３．０ｃｍ2であり、その突起間距離は、好ましくは１０〜３０ｍｍの中心間ピッチで連設配置されて形成されていると好ましい。
【００５０】
また、複数の突起１３が上述の高さで突出していることにより、マッサージ剤が、マッサージにより、肌上の湯や水と良好に混合されて、ムラのない塗り広げが一層容易となる。
【００５１】
また、本実施形態では、突起１３は、各々、先端側に向って徐々に縮径する略円柱形状を有する。また突起１３は、その先端に凹凸形状を備えている。凹凸形状の好ましい凹凸形状として、例えば図７（ａ）〜（ｅ）に示すように、山形形状（図７（ａ）参照）、ドット形状（図７（ｂ）参照）、ワッフル形状（図７（ｃ）参照）、波型形状（図７（ｄ）参照）、３重突起形状（図７（ｅ）参照）等を採用することもできる。更に好ましくは、略円柱形状の突起の先端に設ける凹凸形状として、当該先端の外周部との間にリング状凹溝１３ａを介在させて中央小突起１３ｂがさらに突出する、２重の突起構造を採用しても良い（図５参照）。図７（ｅ）に示す凹凸形状は、突起の外周部との間に２本のリング状凹溝１３ａを介在させて中央小突起１３ｂが突出している。
突起１３が先端に凹凸形状を備えていることにより、突起１３が先端に凹凸形状を備えていることにより、肌をしっかりととらえ、より安定した状態でマッサージを行えるようにすることが可能になる。さらに、凹溝にマッサージ剤を保持することで、突起がツボや皮膚を刺激する際に効果的にマッサージ剤を適用できる。
特に、突起１２が先端に２重又は３重の突起構造を備えていることにより、水により２倍に希釈した時には２５℃での粘度が５０〜１５０００ｍＰａ・ｓとなる感覚剤含有マッサージ剤が、リング状凹溝に保持されることで、突起がツボや皮膚を刺激する際に効果的にマッサージ剤を適用できる。
【００５２】
さらに、本実施形態では、突起１３は、指股挟込み把持部１２を人差し指と中指との間の指股部で挟み込んで基板１１を手のひらに沿わせて手に装着した際に、基板１１の他方の面１１ｂに分散配置された複数の突起１３のうちの少なくとも１つ以上が、人指し指又は中指と重なって配置されるようになっている。このように配置されることにより、指の圧力が直接突起１３に伝わり、揉捏法によるマッサージを行う際に、肌をしっかりととらえ、より安定した状態でマッサージを行えるようにすることが可能になる。
【００５３】
なお、本実施形態では、円弧形状に縁取りされた基板１１の後端外周縁部１１ｃから斜め側方に突出して、係止輪部２１が設けられている。係止輪部２１は、基板１１と一体成形されて設けられていることが好ましい。係止輪部２１を例えば係止突起に係止することで、ボディマッサージ具１０を使用しない時に、当該マッサージ具１０を壁や収納部に簡易に納めておくことが可能になる。
【００５４】
本発明のボディマッサージキット又はボディマッサージシステムにおいて、ボディマッサージ具と併用する感覚剤含有マッサージ剤は、２５℃での粘度（希釈前の粘度、単にマッサージ剤粘度ともいう）が５００〜３０００００ｍＰａ・ｓであり、水により２倍（質量基準で２倍）に希釈した時には２５℃での粘度が５０〜１５０００ｍＰａ・ｓとなるマッサージ剤である。
このマッサージ剤は、本発明のマッサージ剤の拡散方法におけるマッサージ剤であると共に本発明のマッサージ剤でもある。以下、本発明のマッサージ剤又は本発明に用いるマッサージ剤を、本発明の感覚剤含有マッサージ剤ともいう。
なお、感覚剤含有マッサージ剤の物性として、水により２倍に希釈した時の粘度を規定した理由は、入浴やシャワー等により濡れた人の肌に、マッサージ剤を塗り拡げたときに、該マッサージ剤が水に希釈される程度が、概ね２倍程度であることによる。
【００５５】
２５℃でのマッサージ剤粘度が５００〜３０００００ｍＰａ・ｓであることで、液ダレすることなく濡れた肌に塗布することが可能であるとともに、伸びが悪くムラ付着してしまうこともなく、刺激感が抑制可能な点でも好ましい。より好ましい２５℃でのマッサージ剤粘度は１０００〜２５００００ｍＰａ・ｓであり、更に好ましい２５℃でのマッサージ剤粘度は２０００〜２５０００ｍＰａ・ｓであり、殊更に好ましい２５℃でのマッサージ剤粘度は３０００〜１００００ｍＰａ・ｓである。
一方、水により２倍に希釈した時には２５℃での粘度が５０〜１５０００ｍＰａ・ｓであることで、濡れた肌に塗布されたマッサージ剤が肌上の水で希釈されたときに、マッサージ剤が肌やマッサージ具から垂れ落ちることやマッサージ剤が肌の一部やマッサージ具に残って塗り広げにくくなることが防止され、ボディマッサージ具１０の肌に対するフィット性に優れることとも相俟って、感覚剤含有マッサージ剤を、身体の肌に沿って容易にムラなく塗り広げることができる。その結果、首肩等のマッサージ対象部位における冷感や温感等の感覚の実感効果が高まり、ムラ付着による刺激性も低い。
【００５６】
従って、水により２倍に希釈した時の２５℃での粘度は、より好ましくは７０〜１００００ｍＰａ・ｓであり、更に好ましくは１００〜１５００ｍＰａ・ｓである。また、水により２倍に希釈した時の２５℃での粘度は、希釈前の２５℃でのマッサージ剤粘度の３／４〜１／２００であることが好ましく、１／２〜１／５０であることが更に好ましい。
【００５７】
さらに、本実施形態では、変形誘導部１４の平面積（ｃｍ2）の値と、マッサージ剤の水により２倍に希釈した時の２５℃での粘度（ｍＰａ・ｓ）の値との比率［マッサージ剤の水により２倍に希釈した時の２５℃での粘度（ｍＰａ・ｓ）：平面積（ｃｍ2）］が、好ましくは１：１〜１００００：１であり、より好ましくは５：１〜５０００：１であり、さらに好ましくは１０：１〜１０００：１であることにより、２倍に希釈した時には２５℃での粘度が５０〜１５０００ｍＰａ・ｓとなる感覚剤含有マッサージ剤が、対象部位に良好に行き渡り、これによって、感覚剤を効果的に実感することが可能となるため好ましい。
【００５８】
なお、マッサージ剤の粘度は、ＢＭ型のデジタル粘度計を用いて、２５℃、ローターＮｏ．２、回転数１００ｒｐｍ（５０〜５００ｍＰａ・ｓの粘度範囲のとき）、ないしはローターＮｏ．３、回転数１２ｒｐｍ（５００〜１００００ｍＰａ・ｓの粘度範囲のとき）、ないしはローターＮｏ．４、回転数１２ｒｐｍ（１００００〜５００００ｍＰａ・ｓの粘度範囲のとき）、ないしは回転数１．５ｒｐｍ（５００００〜３０００００ｍＰａ・ｓの粘度範囲のとき）、保持時間６０ｓの条件で測定することができる。
【００５９】
感覚剤含有マッサージ剤に含有される感覚剤としては、冷感剤や温感剤等が挙げられる。冷感剤としては、ｌ−メントール、ｄｌ−メントール、乳酸メンチル、３−ｌ−メントキシプロパン−１，２−ジオール、カンファー、チモール等を挙げることができる。温感剤としては、カプサイシン、ノニル酸バニリルアミド、ニコチン酸ベンジル、４−バニリルアルキルエーテル、ショウガオール、ジンゲロール、ジンゲロン等を挙げることができる。これらの感覚剤の中でも、温感剤として４−バニリルアルキルエーテルを用いると、刺激感の点で好ましい。これらの冷感剤や温感剤は、一種を単独で又は二種以上を組み合わせて用いることができる。
【００６０】
感覚剤含有マッサージ剤中の感覚剤の含有量は、例えば感覚剤が冷感剤や温感剤の場合、好ましくは０．００１〜３質量％であり、さらに好ましくは０．００２〜０．５質量％である。本発明によれば、特定の曲げ弾性率を有するマッサージ具と特定の物性を有するマッサージ剤との併用により、濡れた肌に付着させた感覚剤含有マッサージ剤を、マッサージしながら身体の肌に沿って容易にムラなく塗り広げることができるため、ムラのある状態の場合に起こりやすい皮膚に対する刺激を抑制しつつ、感覚剤成分による冷感や温感等をマッサージ対象部位において充分に実感できる。
更に、基板１１が開口部１４ａを有する場合には、ボディマッサージ具１０の開口部１４ａを介して、感覚剤含有マッサージ剤が手のひらに積極的に誘導されるため、手のひら、特に指股部にて感覚剤成分による冷感や温感等をより効果的に実感することも可能となる。
【００６１】
本発明の感覚剤含有マッサージ剤は、更に、カルボキシビニルポリマー及び／又はアルキル変性カルボキシビニルポリマーを含有しても良い。カルボキシビニルポリマー、アルキル変性カルボキシビニルポリマーは、アクリル酸（メタクリル酸）を主としてこれに少量のアリルショ糖で架橋した共重合体又はこれをアルキル化処理したものである。カルボキシビニルポリマー又はアルキル変性カルボキシビニルポリマーは、アルカリ剤を加えることにより水和ゲルを形成し増粘する。そのため、形成されたゲル相は、本発明の感覚剤含有マッサージ剤を皮膚に塗布した際、皮膚上に存在する塩分によって凝縮し、皮膚上に存在する水により希釈されるため、粘度が適度に低下する。カルボキシビニルポリマーとしては、重量平均分子量が５０万〜５００万、特に７５万〜１５０万であるものが好ましい。このような市販品の例としては、カルボキシビニルポリマーとしてカーボポール９８０、カーボポール９８１、カーボポール９３４（以上、いずれも、Ｌｕｂｒｉｚｏｌ社製）等が、アルキル変性カルボキシビニルポリマーとしてペムレンＴＲ−１、ペムレンＴＲ−２（以上、いずれも、Ｌｕｂｒｉｚｏｌ社製）等が挙げられる。
【００６２】
感覚剤含有マッサージ剤中のカルボキシビニルポリマー及び／又はアルキル変性カルボキシビニルポリマーの合計の含有量は、濡れた肌に塗布した時（水で２倍希釈された時）に適度に粘度が低下する観点から、マッサージ剤中、好ましくは０．０２〜０．９質量％であり、より好ましくは０．０５〜０．７質量％、更に好ましくは０．０６〜０．５質量％である。
【００６３】
なお、カルボキシビニルポリマー及び／又はアルキル変性カルボキシビニルポリマーによって、より有効にゲル相を形成させるには、カルボキシビニルポリマー及び／又はアルキル変性カルボキシビニルポリマーを水相ないしは油相に分散した後に、適当な中和剤を添加するのがよい。中和剤を添加することによって適度な実粘度を有するゲル相を形成することができる。このような中和剤としては、具体的には、例えば、無機アルカリ化合物や有機アルカリ化合物が挙げられる。より具体的には、水酸化ナトリウム、水酸化カリウム等の無機アルカリ化合物のほか、（モノ、ジ、トリ）エタノールアミン、（モノ、ジ、トリ）イソプロパノールアミン、２−アミノ−２−メチル−１−プロパノール、２−アミノ−２−メチル−１，３−プロパンジオール、２−アミノ−２−ヒドロキシメチル−１，３−プロパンジオール等の有機アルカリ化合物が挙げられる。なかでも、より良好なゲル相を形成させる点から、水酸化ナトリウム、水酸化カリウム、トリエタノールアミン、２−アミノ−２−メチル−１−プロパノール、２−アミノ−２−メチル−１，３−プロパンジオールが好ましい。中和剤の含有量は、感覚剤含有マッサージ剤全量中、好ましくは０．００４〜１．５質量％、より好ましくは０．０１〜０．６質量％である。
【００６４】
本発明の感覚剤含有マッサージ剤は、適度な粘性を付与する点から、粘度調整剤を含有することが好ましい。かかる粘度調整剤としては、具体的には、例えば、カルボキシメチルセルロース、ヒドロキシメチルセルロース、ヒドロキシエチルセルロース、ヒドロキシプロピルセルロース、ポリビニルピロリドン、ポリビニルアルコール、カラギーナン、キサンタンガム、デンプン誘導体等の有機系高分子化合物、カオリン、タルク、酸化チタン、ケイ酸アルミニウムマグネシウム、合成ケイ酸ナトリウム、合成ケイ酸アルミニウム、合成ケイ酸ナトリウムマグネシウム等の無機系化合物が挙げられる。これらは１種単独で使用してもよく、２種類以上組み合わせて使用してもよい。
【００６５】
本発明の感覚剤含有マッサージ剤は、マッサージ剤全量中、界面活性剤の含有量が、好ましくは０．１％以下であり、より好ましくは０．０５％以下であり、さらに界面活性剤を含まないことが特に好ましい。このようにすることで、濡れた肌に塗布した時（水で２倍希釈された時）に適度に粘度が低下させることが可能である。
【００６６】
本発明の感覚剤含有マッサージ剤は、マッサージ剤全量中、油性成分の含有量が、好ましくは４０％以下であり、より好ましくは２０％以下であり、さらに好ましくは５％以下であり、さらに油性成分を含まないことが特に好ましい。このようにすることで、濡れた肌に塗布した時（水で２倍希釈された時）に適度に粘度が低下させることが可能である。
【００６７】
本発明の感覚剤含有マッサージ剤には、所望により、更に上記成分以外の成分、例えば、防腐剤、顔料、色素、キレート剤、消炎剤、収斂剤、細胞賦活剤、痩身剤、美白剤、皮脂分泌抑制剤、除毛成分、抗酸化剤、香料等を適宜配合してもよい。
【００６８】
上述の構成を備える本実施形態のボディマッサージキット及びボディマッサージシステムによれば、濡れた肌に付着させた感覚剤含有マッサージ剤を、マッサージしながら身体の肌に沿って容易にムラなく塗り広げることができるため、ムラのある状態の場合に起こりやすい皮膚に対する刺激を抑制しつつ、感覚剤成分による冷感や温感等をマッサージ対象部位において充分に実感できる。
【００６９】
すなわち、本実施形態のボディマッサージキット及びボディマッサージシステムにおいては、ボディマッサージ具１０を、板状の基板１１の一方の面１１ａに手のひらを沿わせて手に装着して用いる。
そして、例えばバスルームやシャワールームにおいて、感覚剤含有マッサージ剤を手のひらにとり、その手のひらでマッサージ対象部位に付着させ（塗り広げても良い）、その後、マッサージ剤をとった手あるいは反対側の手に当該マッサージ具１０を装着した状態で、突起１３が分散配置された基板１１の他方の面１１ｂを接触させて、当該基板１１の他方の面１１ｂによって肌を撫でたり擦ったり揉んだりしながら皮膚に沿って基板１１を移動させてゆけば、マッサージ剤が肌やマッサージ具から垂れ落ちることやマッサージ剤が肌の一部やマッサージ具に残って塗り広げにくくなることもなく、肌上の湯や水によって適度な粘度に希釈された感覚剤含有マッサージ剤を身体の肌に沿って容易にムラなく塗り広げることができる。これにより、ムラのある状態に塗布された場合に起こりやすい皮膚に対する刺激を抑制しつつ、感覚剤成分による冷感や温感等を充分に実感できる。
あるいは、例えばバスルームやシャワールームにおいて、感覚剤含有マッサージ剤を手のひらにとった手に当該ボディマッサージ具１０を装着した状態で、湯や水で濡れた身体に、好ましくは突起１３が分散配置された基板１１の他方の面１１ｂを接触させて、当該基板１１の他方の面１１ｂによって肌を撫でたり擦ったり揉んだりしながら皮膚に沿って基板１１を移動させてゆけば、マッサージ剤が肌やマッサージ具から垂れ落ちることやマッサージ剤が肌の一部やマッサージ具に残って塗り広げにくくなることもなく、肌上の湯や水によって適度な粘度に希釈された感覚剤含有マッサージ剤を身体の肌に沿って容易にムラなく塗り広げることができる。これにより、ムラのある状態に塗布された場合に起こりやすい皮膚に対する刺激を抑制しつつ、感覚剤成分による冷感や温感等を充分に実感できる。
特に、開口部１４ａを有する場合、基板１１に形成された相当の開口面積を有する開口部１４ａを流通開口として、手のひらにとった感覚剤含有マッサージ剤を身体の肌の側に流出させたり、肌に付着した湯や水を手のひら側に流入させたりしながら、感覚剤含有マッサージ剤が肌上の湯や水と混ざり合い易くなり、感覚剤含有マッサージ剤を、身体の皮膚に沿って効率良く且つ効果的に塗り広げてゆくことが一層容易となる。
【００７０】
本発明のマッサージ剤の拡散方法の好ましい実施態様においては、本発明の感覚剤含有マッサージ剤を、シャワーや入浴等により濡れた状態のマッサージ対象部位（例えば、肩や首、四肢等）に任意の方法により付けた後、該マッサージ剤を塗布した肌を、板状の基板の一方の面に手のひらを沿わせて手に装着して用いるボディマッサージ具にて把握揉捏して、該マッサージ剤を肌に沿って拡散させる。このような方法により、マッサージ剤を、マッサージ対象部位に容易に塗り広げることができ、感覚剤による冷感や温感等を効果的に実感させることができる。
【００７１】
なお、本発明は上記実施形態に限定されることなく種々の変更が可能である。例えば、変形誘導部は、基板の中央領域に形成されていたり、略ハート形状を備えている必要は必ずしも無い。変形誘導部は、縦横に相当の大きさの幅を有する、その他の種々の形状を備えていても良く、複数個の変形誘導部の集合であっても良い。また、基板の肌当て面となる他方の面は、平坦な面やリブの形成された面であっても良い。また、基板は、開口部や薄肉部等の変形誘導部を有しないものであっても良い。
【００７２】
さらに、位置決め手段は、ボディマッサージ具の所定位置、例えば、変形誘導部１４や変形誘導部１４としての開口部１４ａ、基板１１の中央領域等を、中指や隣接する指（人差し指及び／又は薬指）の付け根の関節付近に位置決めさせるものであってもよく、開口部１４ａが、指股部又は指股部近傍に配置されるように手を位置決めさせることが可能な位置決め手段であっても良い。
位置決め手段としては、例えば図８（ａ）〜（ｄ）に示すように、好ましくは中指と薬指との間の指股部によって挟みこむ、略円柱形状の指股挟込み把持部（図８（ａ）参照）や、基板の一方の面に設けられた、当該基板の一方の面との間に指を挿入させることで指股部を配置させることが可能な、バンド（図８（ｂ）参照）、スリットバンド（図８（ｃ）参照）、カバー（図８（ｄ）参照）等を、位置決め手段として採用することもできる。
【００７３】
本発明におけるボディマッサージ具及び感覚剤含有マッサージ剤は、例えば、組み合わせてボディマッサージに用いるキット（セット）等として、ボディマッサージ具と容器に収納した感覚剤含有マッサージ剤とを、同一のパッケージ（包装袋、包装箱）に収容して市場に流通（販売等）させることが好ましい。そのパッケージの外面やパッケージに添付する説明書等には、感覚剤含有マッサージ剤とボディマッサージ具との併用方法（例えば、マッサージ剤及び／又はボディマッサージ具の使用方法として前述した方法の何れか一以上）を記載しておくことも好ましい。
また、本発明におけるボディマッサージ具及び感覚剤含有マッサージ剤は、何れか一方、好ましくは双方に、両者を組み合わせて使用すること（好ましくは推奨すること）を表示して販売等することも好ましい。
【実施例】
【００７４】
以下、本発明について、実施例に基づき具体的に説明する。なお、表中に特に示さない限り、各成分の含有量は質量％を示す。
なお、各マッサージ剤の評価は、以下の方法にしたがって行った。
【００７５】
《塗りのばしやすさ、温感、刺激性》
５名の専門パネラーがシャワー直後の身体が濡れている状態で、各マッサージ剤を首・肩部に塗布し、ボディマッサージ具の一方の面に手のひらを沿わせて手に装着したボディマッサージ具にてマッサージを行い、塗布時の塗り伸ばしやすさ、ボディマッサージ具でのマッサージ時の温感、及び刺激性についての官能評価を行った。それぞれの評価基準は以下の通りであり、５名の評価点の平均を算出し、判定基準に従って評価した。
【００７６】
実施例１〜４及び比較例１〜６においては、図１〜図６に示す形態のボディマッサージ具を用いた。それらのボディマッサージ具においては、前述した折り位置Ｐにおける曲げ弾性率が、０．４６ｇｆ／ｍｍであった。折り位置Ｐにおける曲げ弾性率は、指股挟み込み把持部１２の手首側の端部１２ｂから手首側に７ｍｍの位置（高さＨが５ｍｍの位置における前記距離Ｌが７ｍｍとなる位置）Ｐ３を、固定面３１の端３１ａに位置させて測定した。また、それらのボディマッサージ具においては、開口部１４を２等分割する線分に沿った断面において、開口部１４の開口幅は基板１１の幅に対して４５％であり、突起の高さ（面１１ｂからの高さ）は８ｍｍであり、変形誘導部１４の面積は５．２ｃｍ2であった。
実施例５については、開口部を有さず、曲げ弾性率が０．６７ｇｆ／ｍｍである以外は、同様のボディマッサージ具を用いた。
【００７７】
（１）塗布時の塗り伸ばしやすさ
〈評価基準〉
５：とても塗り伸ばしやすい
４：塗り伸ばしやすい
３：やや塗り伸ばしやすい
２：あまり塗り伸ばしやすくない
１：塗り伸ばしやすくない
〈判定基準〉
◎：５点以上
○：４点以上５点未満
△：２．５点以上４点未満
×：２．５点未満
【００７８】
（２）マッサージ具でのマッサージ時の温感
〈評価基準〉
４：熱すぎるほどの温感を感じた
３：心地良い温感を感じた
２：やや心地良い温感を感じた
１：温感を感じなかった
〈判定基準〉
××：４点以上
○：３点以上４点未満
△：２点以上３点未満
×：２点未満
【００７９】
（３）刺激性
〈評価基準〉
５：全く刺激性がない
４：ほとんど刺激性がない
３：許容範囲の刺激性
２：やや刺激性がある
１：非常に刺激性がある
〈判定基準〉
◎：５点以上
○：４点以上５点未満
△：２．５点以上４点未満
×：２．５点未満
【００８０】
［実施例１〜４、比較例１〜６］
表１〜表２に示す原料を混合してマッサージ剤を調製し、上記方法により評価を行った。結果を表１〜表２に示す。なお、粘度（２５℃）の測定には、ＢＭ型のデジタル粘度計（東機産業株式会社社製のＴＶＢ−１０Ｍ）を用い、前述の通り、粘度に応じたローター及び回転数にて測定した。また、２倍希釈時の粘度は、２５℃に保持したマッサージ剤に、２５℃のイオン交換水を質量において同量添加し、攪拌して得た２倍希釈液の粘度を測定した。
【００８１】
【表１】
0005937369.tif 000002
【００８２】
【表２】
0005937369.tif 000003
【００８３】
表１の結果によれば、実施例１〜５では、手のひらに剤を取った時に垂れることなく、濡れ肌でのボディマッサージ具使用時（２倍希釈時）は適度に粘度が低下し、マッサージによりマッサージ剤を、肩や首の肌に沿ってムラなく塗り広げることができ、肩や首において感覚剤の効果が充分に実感可能であった。皮膚低刺激性の点でも問題はなく、なかでも温感剤としてバニリルブチルエーテルを用いた実施例１は、実施例２よりも皮膚低刺激性の点で良好であった。
一方、２倍希釈時の粘度の低すぎる比較例１及び２は、濡れ肌でのボディマッサージ具使用時（２倍希釈時）に粘度が低くなりすぎてしまい、肌から垂れおちてしまう結果、マッサージ対象部位において温感を感じられなかった。２倍希釈時に水となじまず分離したままで粘度が測定不能な比較例３は、刺激感の点で好ましくなかった。希釈前の粘度も低すぎる比較例１については、塗り伸ばし易さに関しても垂れてしまい好ましくなかった。また、２倍希釈時の粘度の高すぎる比較例４及び５は、濡れ肌でのボディマッサージ具使用時（２倍希釈時）に粘度が高く刺激感の点で好ましくなかった。比較例５及び６については、塗り伸ばし易さに関しても伸びが悪くムラ付着してしまい対象部位での刺激感の点でも好ましくなかった。
【符号の説明】
【００８４】
１０  ボディマッサージ具
１１  基板
１１ａ  一方の面
１１ｂ  他方の面
１１ｃ  後端外周縁部
１１ｄ  先端外周縁部
１１ｅ  側縁部
１２  指股挟込み把持部
１２ａ  指股挟込み把持部の基板の後端縁部側の基端部
１２ｂ  指股挟込み把持部の側面
１３  突起
１３ａ  リング状凹溝
１３ｂ  中央小突起
１４  変形誘導部
１４ａ  開口部
１５  位置決め手段
１６  板状部分
１７  表面リブ
１８  側面リブ
１９  指掛けつば部
２０  周縁肉厚部
Ｘ    屈曲谷線
【図１】
0005937369.tif 000004
【図２】
0005937369.tif 000005
【図３】
0005937369.tif 000006
【図４】
0005937369.tif 000007
【図５】
0005937369.tif 000008
【図６】
0005937369.tif 000009
【図７】
0005937369.tif 000010
【図８】
0005937369.tif 000011
【図９】
0005937369.tif 000012